(57)【要約】【課題】情報の記録再生、あるいは再生のみ、あるいは記録のみを行う際の映像シーン検索に関するユーザアクセスを改善する。【解決手段】クローズドキャプション（ＣＣ）情報を含むテレビジョン信号のＣＣ情報から、字幕の特徴となるキャラクタのみ、あるいは字幕の特徴となるキャラクタとテキスト情報以外の付加情報、あるいはテキスト情報以外の付加情報のみを検出し、それらの情報の変化を解析し、変化した情報と映像とを関連付けることにより映像シーン検索を容易にし、記録再生、あるいは再生のみ、あるいは記録のみを行う。【選択図】図１
2004253050.tif 000002
【特許請求の範囲】
【請求項１】
クローズドキャプション情報を含む映像信号を入力し、映像情報とクローズドキャプション情報とに分離する入力分離手段と、
前記入力分離手段で分離したクローズドキャプション情報から字幕の特徴となるキャラクタ情報または付加情報を検出する検出手段と、
前記検出手段で検出された情報と、前記入力分離手段で分離した映像情報とを関連付ける管理手段と、
前記管理手段において関連付けられた映像情報の所定時間前の映像情報を選択して再生する選択再生手段と、
を備えてなることを特徴とする情報再生装置。
【請求項２】
前記クローズドキャプション情報と、映像情報と、を記録する記録手段と、を備え、
前記選択再生手段において再生される映像情報は、前記記録手段に記録されている映像情報であることを特徴とする請求項１に記載の情報再生装置。
【請求項３】
前記管理手段において関連付けられた映像情報の所定時間前の映像情報とは、関連付けられた映像情報の前に存在するＭＰＥＧ２におけるＩピクチャの映像であることを特徴とする請求項１に記載の情報再生装置。
【請求項４】
前記管理手段における関連付けは、入力される映像の位置を特定する情報と、前記検出手段において検出されたキャラクタ情報または付加情報との関連であることを特徴とする請求項１に記載の情報再生装置。
【請求項５】
前記検出手段は、前記キャラクタ情報、または付加情報の変化を検出することを特徴とする請求項１に記載の情報再生装置。
【請求項６】
前記選択再生手段は、再生映像の選択に用いる映像情報の画像のサムネイルを表示することを特徴とする請求項１に記載の情報再生装置。
【請求項７】
前記選択再生手段は、前記管理手段から選択可能な再生条件の一覧を表示し、再生条件の設定をする第１の条件入力手段を備えることを特徴とする請求項１に記載の情報再生装置。
【請求項８】
前記入力分離手段には、デジタル放送信号が入力されることを特徴とする請求項１に記載の情報再生装置。
【請求項９】
前記入力分離手段には、外部の記録媒体から再生された映像情報が入力されることを特徴とする請求項１に記載の情報再生装置。
【請求項１０】
前記管理手段は、前記検出手段で検出された情報と、前記入力分離手段で分離した映像情報との関連付けの条件の設定する第２の条件入力手段を備えることを特徴とする請求項１に記載の情報再生装置。
【請求項１１】
クローズドキャプション情報を含む映像信号を入力し、映像情報とクローズドキャプション情報とに分離する入力分離手段と、
前記入力分離手段で分離したクローズドキャプション情報から字幕の特徴となるキャラクタ情報、またはシーンの特徴となる付加情報を検出する検出手段と、
前記検出手段で検出された情報と、前記入力分離手段で分離した映像情報とを関連付ける管理手段と、
前記入力される映像情報を一時的に記録する一時記録手段と、
前記管理手段において関連付けられた映像情報の所定時間前の映像情報を選択して記録する選択記録手段と、を備え、
前記選択記録手段において記録される映像は、前記一時記録手段において記録されている映像情報が含まれることを特徴とする情報記録装置。
【請求項１２】
前記管理手段において関連付けられた映像情報の所定時間前の映像情報とは、関連付けられた映像情報の前に存在するＭＰＥＧ２におけるＩピクチャの映像であることを特徴とする請求項１１に記載の情報記録装置。
【発明の詳細な説明】
【０００１】
【発明の属する技術分野】
本発明は、テレビジョン信号を記録再生する際にクローズドキャプション（ＣＣ）情報を利用して映像シーンの検索を行うことによりユーザアクセスを改善した情報記録再生装置に関するものである。
【０００２】
【従来の技術】
映像情報のデジタル化に伴いハードディスクやＤＶＤ等の記憶媒体が普及してきた。これらの記憶媒体は年々容量が大きくなり、記録できる映像情報の量も多くなってきている。しかし、情報量の増加に伴い大量の映像情報の中から映像の一部分（シーン）を検索することは困難になってきている。例えば、ユーザが映像シーン検索を行う場合は、一度録画したものを最初から見直したり編集したりする必要があり、かなりの時間を要するなど、簡単には実現できなかった。
【０００３】
そこで上記問題を解決するためにテレビジョン信号のＣＣ情報を利用して検索や再生を行う方法が開示されている（例えば、特許文献１参照）。
【０００４】
【特許文献１】
特開２００２−５６００６号公報  （第５頁  第１図）
【０００５】
【発明が解決しようとする課題】
しかしながら、従来のＣＣ情報を用いたテレビジョン信号の検索や再生を行う方法では、検索、再生のタイミングはＣＣ情報として重畳されている時間情報を用いていたため、例えば、ＭＰＥＧ符号化された映像における再生の場合、上記タイミングは必ずしもＩピクチャの位置を指定するものではなく、その結果、上記タイミングではシーンの切換りタイミングとは時間的にずれた（遅延した）映像が再生されることが多かった。このため、所望の映像シーン検索・再生が困難であった。
【０００６】
そこで本発明では、上記問題を鑑み、ＣＣ情報を利用して映像シーン検索が容易に行え、映像シーンの開始タイミングから記録、再生できる情報記録再生装置および方法、情報再生装置および方法、情報記録装置および方法、並びにそれらのプログラムを提供することを目的とする。
【０００７】
【課題を解決するための手段】
本発明の情報記録再生装置は、クローズドキャプション（ＣＣ）情報を含むテレビジョン信号を入力し、分離処理を行う。分離処理された情報からＣＣ情報を検出し、字幕の特徴となるキャラクタのみ、あるいは字幕の特徴となるキャラクタとテキスト情報以外の付加情報、あるいはテキスト情報以外の付加情報のみを検出し、これらの情報が変化するタイミングを解析する。検出・解析されたキャラクタ情報、或いは付加情報が変化するタイミングと映像情報との関連付けを示す管理テーブルを作成し、この管理テーブルを参照して再生する映像シーンを決定し、記録された受信処理済の信号からキャラクタ情報、或いは付加情報が変化するタイミングから数秒前の映像シーンの再生を行う。
【０００８】
本発明の情報再生装置はクローズドキャプション（ＣＣ）情報を含むテレビジョン信号を入力し、分離処理を行う。分離処理された情報からＣＣ情報を検出し、字幕の特徴となるキャラクタのみ、あるいは字幕の特徴となるキャラクタとテキスト情報以外の付加情報、あるいはテキスト情報以外の付加情報のみを検出し、これらの情報が変化するタイミングを解析する。検出・解析されたキャラクタ情報、或いは付加情報が変化するタイミングと映像情報との関連付けを示す管理テーブルを作成し、この管理テーブルを参照して再生する映像シーンを決定し、キャラクタ情報、或いは付加情報が変化するタイミングから数秒前の映像シーンの再生を行う。
【０００９】
本発明の情報記録装置はクローズドキャプション（ＣＣ）情報を含むテレビジョン信号を入力し、分離処理を行う。分離処理された情報からＣＣ情報を検出し、字幕の特徴となるキャラクタのみ、あるいは字幕の特徴となるキャラクタとテキスト情報以外の付加情報、あるいはテキスト情報以外の付加情報のみを検出し、これらの情報が変化するタイミングを解析する。検出・解析されたキャラクタ情報、或いは付加情報が変化するタイミングを参照して記録する映像シーンを決定し、キャラクタ情報、或いは付加情報が変化するタイミングから数秒前の映像シーンの記録を行う。
【００１０】
【発明の実施の形態】
（第１の実施の形態）
本発明を適用した情報記録再生装置の構成について説明する。この装置は例えばセットトップボックスやＤＶＤレコーダやハードディスク内臓のＤＶＤプレーヤなどに内蔵される。図１は本発明の情報記録再生装置の構成を示すブロック図である。この情報記録再生装置は入力分離手段１、ＣＣ検出解析手段２、管理テーブル作成手段３、記録手段４、選択再生手段５から構成される。
【００１１】
入力分離手段１には、図示しないアンテナを介してデジタル放送波、或いは図示しないＤＶＤやＤＶＨＳなどの再生装置からのデジタル信号またはアナログ信号が入力される。入力がデジタル放送波の場合は、選局、検波処理を施した後、デジタル復調及び誤り訂正処理を施し、さらに、ＣＣ情報、映像・音声情報、及びＰＣＲ情報などへの分離処理が施され出力される。一方、入力がＤＶＤやＤＶＨＳなどのデジタル信号の場合は、ＣＣ情報、映像・音声情報、及びＳＣＲ（或いはＰＣＲ）情報などへの分離処理を施した信号が出力される。また、入力がアナログ信号の場合は、ＭＰＥＧ２エンコード処理を施した映像・音声情報、及びＳＣＲ（或いはＰＣＲ）情報と、デジタル符号化処理を施したＣＣ情報が出力される。以上の処理の後、ＣＣ情報はＣＣ検出解析手段２に、ＣＣ情報、映像・音声情報、及びＳＣＲ（或いはＰＣＲ）情報などは記録手段４に入力される。
【００１２】
ＣＣ検出解析手段２はＣＣ情報の中から、字幕の特徴となるキャラクタ情報のみ、或いは字幕の特徴となるキャラクタ情報とテキスト情報以外の付加情報、或いはテキスト情報以外の付加情報のみを検出し、それら情報の変化を解析した後に、管理テーブル作成手段３に出力する。ここで、字幕の特徴となるキャラクタ情報とは、そのキャラクタ情報が字幕の最初にあるとそれに続く字幕が何を表すかを示す情報で、様々な種類の括弧や音符、電話マークなどがこれに相当する。例えば、音符マークに続く字幕は歌の歌詞を示すことが多い。また、テキスト情報以外の付加情報とは、制御コードによって設定される文字やＣＣウィンドウの属性情報のことで、文字の色、大きさ、フォント、及び字体、ＣＣウィンドウの位置、大きさ、色、及び表示／非表示のフラグ、或いは次に示すタグ情報などがこれに相当する。例えば、米国のデジタルＣＣ情報では、この付加情報としてテキストのタグ情報があり、表示中の字幕が出演者のセリフなのかナレーションなのか番組中の音楽なのか等の情報を示している。一般に以上のようなキャラクタ情報、或いは付加情報が変化するタイミングは、ドラマ、ニュース番組、或いは音楽番組などの映像シーンの切替りを示すことが多く、これらの情報の変化を検出・解析した結果を利用することで意味のある映像シーンの切替りの検出を行うことができる。
【００１３】
管理テーブル作成手段３は、ＣＣ検出解析手段２で検出・解析されたキャラクタ情報、或いは付加情報が変化するタイミングと映像情報との関連付けを示す管理テーブルを作成し、記録手段４に出力する。図２は管理テーブル作成手段３で作成される管理テーブルの一例である。図２の管理テーブルはキャラクタ情報、或いは付加情報がどのような種類であるかを示す種類情報と、その映像情報が記憶媒体のどの位置に記録されているかを示す記録位置情報と、タイムスタンプ情報を関連付けた例である。
【００１４】
ここで、種類情報とは、キャラクタ情報、或いは付加情報が属性情報の場合には文字の色、字体、及びフォントなどの情報であり、タグ情報の場合には出演者のセリフ、ナレーション、及び番組中の音楽などの情報である。記録位置情報とは、例えば記録媒体がハードディスクの場合にはセクタを単位として管理されていることが多くキャラクタ情報、或いは付加情報が変化するタイミングにおける映像情報が記録されたセクタの先頭セクタ番号である。タイムスタンプ情報とは、例えばキャラクタ情報、或いは付加情報が変化するタイミングにおける映像情報をデコードするために利用されるＰＴＳ、ＤＴＳ、ＳＣＲ、及びＰＣＲなどで、セクタ内の複数の映像情報から所望の映像情報を抜き出すことができるユニークな情報であり、図示しないＣＰＵなどを経由して、入力分離手段１から取得可能である。
【００１５】
この他、予め記録時にサムネイル画像を作成してそのサムネイル画像が記録されている記録位置情報とキャラクタ情報、或いは付加情報がどのような種類であるかを示す種類情報を関連付けた管理テーブルを作成することも可能である。
【００１６】
記録手段４は入力分離手段１から出力された、映像・音声情報、及びＳＣＲ（或いはＰＣＲ）情報などと管理テーブル作成手段３で作成された管理テーブルを、例えば、ハードディスク、或いはＤＶＤ等のランダムアクセスが可能な記録媒体に記録する。
【００１７】
選択再生手段５は、記録手段４に記録された管理テーブルを用いて映像・音声情報の再生を行うもので、例えば、ユーザが図示しないリモートコントローラなどを用いて、順番に次々と管理テーブルで管理されている映像シーンの表示を要求するためのジャンプキーを入力した場合、記録手段４から管理テーブルを読み出し、記録位置情報とタイムスタンプ情報を利用して、映像シーンを順番にデコード・表示できるように記録手段４を制御する。このとき、管理テーブルに記録されたタイムスタンプは必ずしもＭＰＥＧ符号化された映像データのＩピクチャを指定するものではないので、数ｓｅｃ、或いは数ｍｓｅｃ早いタイミングから再生することにより正確にシーンの切換りから再生できる。
【００１８】
また、選択再生手段５にサムネイル作成手段６を追加することも可能である。このとき、選択再生手段５には上記機能にサムネイル作成手段６への出力処理とサムネイル作成手段６からの通知処理が付加される。サムネイル作成手段６は選択再生手段５で再生可能と判断された複数個の映像シーンのそれぞれについて代表となる画像を決定し、この代表画像をサムネイルとして表示する。前記管理テーブル作成手段３で示したように、予め記録時にサムネイル画像を作成して管理テーブルに記録しておくこともできる。また、代表画像を決定する際に管理テーブルに記録されたタイムスタンプよりも数秒前の映像シーンを選択すると、より正確なシーンの切換りを表示することができる。さらに、サムネイル作成手段６は、例えば、図示しないリモートコントローラなどを用いて、ユーザがサムネイルを選択することにより再生する映像シーンを決定し、映像シーンの再生が行えるよう選択再生手段５を制御する。図３にサムネイル表示の一例を示す。
【００１９】
さらに、管理テーブル作成手段３または選択再生手段５に条件入力手段７を追加することも可能である。条件入力手段７は、例えば、図示しないリモートコントローラやキーボードを用いてユーザからの条件入力を行うものである。管理テーブル作成手段３に条件入力手段７を付加する場合、管理テーブル作成手段３には条件入力手段７からの条件入力と条件検索処理が付加される。ここで入力する条件は、条件と一致したキャラクタ情報、或いは付加情報が変化するタイミングだけ管理テーブルを作成するための管理テーブル作成条件である。選択再生手段５に条件入力手段７を追加する場合、選択再生手段５には条件入力手段７からの条件入力と条件検索処理が付加される。ここで入力する条件は、条件と一致した映像シーンから再生を行うための再生条件である。例えば、人物が話をしている映像シーンを再生したいならば、条件入力手段７でタグの値がセリフを示す値に設定される映像シーンを選択するように入力すると、選択再生手段５ではその情報を検索キーとして管理テーブルを検索し、再生する映像シーンを選択、再生が行えるよう記録手段４を制御する。図４に条件選択画面の一例を示す。各条件の左のチェックボックスを選択することによって条件を決定する。
【００２０】
サムネイル表示と管理テーブル作成条件、または再生条件入力を同時に行うことも可能である。
【００２１】
ここで、図１で示した情報記録再生装置の具体的な動作例についてフローチャートを参照して説明する。図５は前記情報記録再生装置の記録処理の一例を示したフローチャートである。まずステップＳ１において、入力分離手段１により、テレビジョン信号のＣＣ情報、映像・音声情報、及びＰＣＲ情報などへの分離処理が実行され、ステップＳ２に進む。ステップＳ２において、ＣＣ検出解析手段２によりステップＳ１で分離処理された情報からＣＣ情報を検出し、キャラクタ情報、或いは付加情報が変化するタイミングを解析し、管理テーブル作成条件の入力を行う場合にはステップＳ３に、条件入力を行わない場合にはステップＳ６に進む。ステップＳ３において、条件入力手段７により、管理テーブル作成手段３に設定されている選択可能な管理テーブル作成条件の一覧をＣＲＴやＰＤＰや液晶などの表示手段に表示し、ステップＳ４に進む。ステップＳ４において、例えば、リモートコントローラやキーボードを用いてユーザが管理テーブル作成条件を決定したか否かを判定し、決定した場合は、条件入力手段７により、管理テーブル作成条件を管理テーブル作成手段３に出力し、ステップＳ５に進む。決定しない場合は、管理テーブル作成条件は選択可能な管理テーブル作成条件すべてとみなし、ステップＳ６に進む。ステップＳ５において、管理テーブル作成手段３により、ステップＳ２からのＣＣ情報の解析結果とステップＳ４からの管理テーブル作成条件が一致するか否かを判定し、一致した場合は、ステップＳ６に進む。一致しない場合には、管理テーブルは作成できないものとしステップＳ７に進む。ステップＳ６において、管理テーブル作成手段３により、ステップＳ２からの検出・解析結果からキャラクタ情報、或いは付加情報が変化するタイミングと映像情報との関連付けを示す管理テーブルを作成し、ステップＳ７に進む。また、条件入力を行った時にはステップＳ５からの選択結果に基づいて管理テーブルを作成し、ステップＳ７に進む。ステップＳ７において、記録手段４により、ステップＳ１で分離処理された情報とステップＳ６で作成された管理テーブルとを記録して処理を終了する。
【００２２】
次に、図６は前記情報記録再生装置の再生処理の一例を示したフローチャートである。再生条件の入力を行う場合にはステップＳ１０１から処理を開始し、条件入力を行わずにサムネイル表示を行う場合にはステップＳ１０４から処理を開始し、条件入力もサムネイル表示も行わない場合にはステップＳ１０５から処理を開始する。
【００２３】
ステップＳ１０１において、条件入力手段７により、記録処理時に記録された管理テーブルから選択可能な再生条件の一覧をＣＲＴやＰＤＰや液晶などの表示手段に表示し、ステップＳ１０２に進む。ステップＳ１０２において、例えば、リモートコントローラやキーボードを用いてユーザが再生条件を決定したか否かを判定し、決定した場合は、条件入力手段７により、再生条件を選択再生手段５に出力し、ステップＳ１０３に進む。決定しない場合は、再生条件は選択可能な再生条件すべてとみなし、ステップＳ１０４に進む。ステップＳ１０３において、選択再生手段５により、記録処理の際に記録された管理テーブルを参照し、ステップＳ１０２からの再生条件と一致するか否かを判定し、一致した場合は、サムネイル表示を行うならばステップＳ１０４に、行わないならばステップＳ１０５に進む。一致しない場合には、再生処理を終了する。ステップＳ１０４において、サムネイル作成手段６により条件入力処理を行う場合にはステップＳ１０３からの再生条件と一致した映像シーンの、行わない場合には記録処理の際に記録された管理テーブルを参照し関連付けられているすべての映像シーンの代表画像をＣＲＴやＰＤＰや液晶などの表示手段に表示する。ステップＳ１０５において、ユーザからリモートコントローラなどを用いた再生を要求されたか否かを判定し、要求有りと判定した場合に、選択再生手段５により、記録処理の際に記録された管理テーブルを参照し再生する映像シーンを決定し、ステップＳ１０６に進み、要求無しと判定した場合には、再生処理を終了する。ステップＳ１０６において、選択再生手段５により記録手段４を制御し、映像シーンの再生・表示を行い、処理を終了する。
【００２４】
以上のように、ＣＣ情報中の特徴となるキャラクタ情報、或いはテキスト情報以外の付加情報の変化するタイミングを検出・解析し、映像情報などとの関連付けを示した管理テーブルを作成することにより、ドラマ、ニュース番組、或いは音楽番組などの映像シーンの切替りを容易に検出することができるようになる。これにより、映像シーン検索が容易に行える情報記録再生装置を提供可能になる。
【００２５】
また、サムネイル表示を行うことにより、ユーザが映像シーンを決定する際の操作が容易になり、テーブル作成時、或いは選択再生時に条件を入力することにより、検索結果が絞られるため、映像シーン検索をより容易に行うことが可能となる。
さらに、以上の説明において記録手段４に記録された管理テーブルを用いて映像・音声情報の再生を行う場合、記録手段４から管理テーブルを読み出し、管理テーブルに記録されたタイムスタンプより数ｓｅｃ、或いは数ｍｓｅｃ早いタイミングから再生するようにすることで、正確な映像シーンの切換りタイミングから再生できることを記載した。しかし、管理テーブル作成手段３における管理テーブルの作成時に、タイムスタンプ情報をキャラクタ情報、或いは付加情報が変化するタイミングにおけるＰＴＳ、ＤＴＳ、ＳＣＲ、及びＰＣＲ  そのものとするのではなく、ＰＴＳ、ＤＴＳ、ＳＣＲ、及びＰＣＲがＩピクチャを指定する場合にはこの値をそのまま使用し、Ｉピクチャを指定しない場合、つまりＢ、或いはＰピクチャを指定する場合にはこれより一つ前のＩピクチャを指定するＰＴＳ、ＤＴＳ、ＳＣＲ、及びＰＣＲを使用するようにすることでより正確に映像シーンの切換りから再生できるようになる。この場合、本発明の情報記録再生装置において、入力分離手段１で分離した映像ＥＳのデコード処理を行うデコード処理部を設け、ここから、Ｉ、Ｂ、或いはＰピクチャなどのピクチャ情報を取得し、必ず一つ前のＩピクチャにおけるＰＴＳ、ＤＴＳ、ＳＣＲ、及びＰＣＲを保持するようにすることで対応可能である。
（第２の実施の形態）
本発明を適用した第７の実施の形態における情報再生装置の構成について説明する。図７は本発明を適用した第７の実施の形態における情報再生装置の構成を示すブロック図である。この情報再生装置は入力分離手段１０１、ＣＣ検出解析手段１０２、管理テーブル作成手段１０３、一時記録手段１０４、選択再生手段１０５から構成される。
【００２６】
入力分離手段１０１には、図示しないＤＶＤやＤＶＨＳ等の再生装置からのデジタル信号或いはアナログ信号が入力される。入力がＤＶＤやＤＶＨＳなどのデジタル信号の場合は、ＣＣ情報、映像・音声情報、及びＳＣＲ（或いはＰＣＲ）情報などへの分離処理を施した信号が出力される。また、入力がアナログ信号の場合は、ＭＰＥＧ２エンコード処理を施した映像・音声情報、及びＳＣＲ（或いはＰＣＲ）情報と、デジタル符号化処理を施したＣＣ情報が出力される。以上の処理の後、ＣＣ情報はＣＣ検出解析手段１０２に入力される。
【００２７】
ＣＣ検出解析手段１０２は入力分離手段１０１から出力された信号に含まれるＣＣ情報の中から字幕の特徴となるキャラクタのみ、あるいは字幕の特徴となるキャラクタとテキスト以外の付加情報、あるいはテキスト以外の付加情報のみを検出し、それら情報の変化を解析した後に、管理テーブル作成手段１０３に出力する。
【００２８】
管理テーブル作成手段１０３はＣＣ検出解析手段１０２で検出・解析されたキャラクタ情報、或いは付加情報が変化するタイミングと映像情報との関連付けを示す管理テーブルを作成し、一時記録手段１０４に出力する。例えば入力分離手段１０１をＤＶＤプレーヤとすると、入力信号がデジタル信号であれば、高速再生機能を用いることにより、通常再生前に管理テーブルを作成することが可能である。
【００２９】
一時記録手段１０４は管理テーブル作成手段１０３で作成された管理テーブルを例えばフラッシュメモリなどの記録媒体に一時的に記録する。管理テーブルは再生時に参照されるだけなので一時的に記録するものとする。
【００３０】
選択再生手段１０５は、一時記録手段１０４に記録された管理テーブルを用いて映像・音声情報の再生を行うもので、例えば、ユーザが図示しないリモートコントローラなどを用いて、順番に次々と管理テーブルで管理されている映像シーンの表示を要求するためのジャンプキーを入力した場合、一時記録手段１０４から管理テーブルを読み出し、記録位置情報とタイムスタンプ情報を利用して、映像シーンを順番にデコード・表示できるように入力分離手段１０１を制御する。このとき、管理テーブルに記録されたタイムスタンプより数ｓｅｃ、或いは数ｍｓｅｃ早いタイミングから再生するとより正確にシーンの切換りから再生できる。
【００３１】
また、選択再生手段にサムネイル生成手段を追加することも可能である。このとき、選択再生手段１０５には上記機能に加えてサムネイル作成手段１０６への出力処理が付加される。サムネイル作成手段１０６は選択再生手段１１５で再生可能と判断された複数個の映像シーンのそれぞれについて代表となる画像を決定し、この代表画像をサムネイルとして表示する。代表画像を決定する際に管理テーブルに記録されたタイムスタンプよりも数秒前の映像シーンを選択すると、より正確なシーンの切換りを表示することができる。
【００３２】
さらに、管理テーブル作成手段１０３または選択再生手段１０５に条件入力手段１０７を追加することも可能である。条件入力手段１０７は、例えば図示しないリモートコントローラやキーボードを用いてユーザからの条件入力を行うものである。
【００３３】
管理テーブル作成手段１０３に条件入力手段１０７を付加する場合、管理テーブル作成手段１０３には上記機能に加えて条件入力手段１０７からの条件入力と条件検索処理が付加される。ここで入力する条件は、条件と一致したキャラクタ情報、或いは付加情報が変化するタイミングだけ管理テーブルを作成するための管理テーブル作成条件である。
【００３４】
選択再生手段１０５に条件入力手段１０７を付加する場合、選択再生手段１０５には上記機能に加えて条件入力手段１０７からの条件入力と条件検索処理が付加される。ここで入力する条件は、条件と一致した映像シーンから再生を行うための再生条件である。サムネイル表示と管理テーブル作成条件、または再生条件入力を同時に行うことも可能である。
【００３５】
ここで、図７で示した情報再生装置の具体的な動作例についてフローチャートを参照して説明する。図８は前記情報再生装置の一時記録処理の一例を示したフローチャートである。
【００３６】
まずステップＳ２０１において、入力分離手段１０１により、テレビジョン信号のＣＣ情報、映像・音声情報、及びＰＣＲ情報などへの分離処理が実行され、ステップＳ２０２に進む。ステップＳ２０２において、ＣＣ検出解析手段１０２によりステップＳ２０１で分離処理された情報からＣＣ情報を検出し、キャラクタ情報、或いは付加情報が変化するタイミングを解析し、管理テーブル作成条件の入力を行う場合にはステップＳ２０３に、行わない場合にはステップＳ２０６に進む。
【００３７】
ステップＳ２０３において、条件入力手段１０７により、管理テーブル作成手段１０３に設定されている選択可能な管理テーブル作成条件の一覧をＣＲＴやＰＤＰや液晶などの表示手段に表示し、ステップＳ２０４に進む。ステップＳ２０４において、例えば、リモートコントローラやキーボードを用いてユーザが管理テーブル作成条件を決定したか否かを判定し、決定した場合は、条件入力手段１０７により、管理テーブル作成条件を管理テーブル作成手段１０３に出力し、ステップＳ２０５に進む。決定しない場合は、管理テーブル作成条件は選択可能な管理テーブル作成条件すべてとみなし、ステップＳ２０６に進む。ステップＳ２０５において、管理テーブル作成手段１０３により、ステップＳ２０２からのＣＣ情報の解析結果とステップＳ２０４からの管理テーブル作成条件が一致するか否かを判定し、一致した場合は、ステップＳ２０６に進む。一致しない場合には、管理テーブルは作成できないものとしステップＳ２０７に進む。ステップＳ２０６において、管理テーブル作成手段１０３により、ステップＳ０１２からの検出・解析結果から、キャラクタ情報、或いは付加情報が変化するタイミングと映像情報との関連付けを示す管理テーブルを作成し、ステップＳ２０７に進む。また、条件入力を行った時にはステップＳ２０５からの選択結果から管理テーブルを作成し、ステップＳ２０７に進む。ステップＳ２０７において、一時記録手段１０４によりステップＳ２０６で作成された管理テーブルを記録して処理を終了する。次に、図９は前記情報再生装置の再生処理の一例を示したフローチャートである。再生条件の入力を行う場合にはステップＳ３０１から処理を開始し、条件入力を行わずにサムネイル表示を行う場合にはステップＳ３０４から処理を開始し、条件入力もサムネイル表示も行わない場合にはステップＳ３０５から処理を開始する。
【００３８】
ステップＳ３０１において、条件入力手段１０７により、一時記録処理時に記録された管理テーブルから選択可能な再生条件の一覧をＣＲＴやＰＤＰや液晶などの表示手段に表示し、ステップＳ３０２に進む。ステップＳ３０２において、例えば、リモートコントローラやキーボードを用いてユーザが再生条件を決定したか否かを判定し、決定した場合は、条件入力手段１０７により、再生条件を選択再生手段１０５に出力し、ステップＳ３０３に進む。決定しない場合は、再生条件は選択可能な再生条件すべてとみなし、ステップＳ３０４に進む。ステップＳ３０３において、選択再生手段１０５により、記録処理の際に記録された管理テーブルを参照し、ステップＳ３０２からの再生条件と一致するか否かを判定し、一致した場合は、サムネイル表示を行うならばステップＳ３０４に、行わないならばステップＳ３０５に進む。一致しない場合には、再生処理を終了する。ステップＳ３０４において、サムネイル作成手段１０６により、条件入力処理を行う場合にはステップＳ３０３からの再生条件と一致した映像シーンの、行わない場合には一時記録処理の際に記録された管理テーブルを参照し関連付けられているすべての映像シーンの代表画像をＣＲＴやＰＤＰや液晶などの表示手段に表示する。ステップＳ３０５において、ユーザからリモートコントローラなどを用いた再生を要求されたか否かを判定し、要求有りと判定した場合に、選択再生手段１０５により、一時記録処理の際に記録された管理テーブルを参照し再生する映像シーンを決定し、ステップＳ３０６に進み、要求無しと判定した場合には、再生処理を終了する。ステップＳ３０６において、選択再生手段１０５により入力分離手段１０１を制御し、映像シーンの再生・表示を行い、処理を終了する。
【００３９】
以上のように、ＣＣ情報中のキャラクタ情報、或いは付加情報が変化するタイミングを解析し、映像情報と関連付けた管理テーブルを作成することにより、映像シーンの切換りを容易に検出できるようになる。このため、映像シーン検索を容易に行える情報再生装置の提供が可能になる。
【００４０】
また、サムネイル表示を行うことにより、ユーザが映像シーンを決定する際の操作が容易になり、テーブル作成時、或いは選択再生時に条件を入力することにより、検索結果が絞られるため、映像シーン検索をより容易に行うことが可能となる。
【００４１】
さらに、今後、ＤＶＤなどが数倍速の高速読取りが可能になれば、情報再生装置にＤＶＤをセットして直ぐに、高速読取を行い、管理テーブルを作成することで、更に使い勝手の良い情報再生装置を提供することが可能である。
（第３の実施の形態）
本発明を適用した第１３の実施の形態における情報記録装置の構成について説明する。図１０は本発明を適用した第１３の実施の形態における情報記録装置の構成を示すブロック図である。この情報記録装置は入力分離手段２０１、ＣＣ検出解析手段２０２、選択手段２０３、記録手段２０４から構成される。
【００４２】
入力分離手段２０１は図示しないＤＶＤやＤＶＨＳ等の再生装置からのデジタル信号或いはアナログ信号が入力される。入力がＤＶＤやＤＶＨＳなどのデジタル信号の場合は、ＣＣ情報、映像・音声情報、及びＳＣＲ（或いはＰＣＲ）情報などへの分離処理を施した信号が出力される。また、入力がアナログ信号の場合は、ＭＰＥＧ２エンコード処理を施した映像・音声情報、及びＳＣＲ（或いはＰＣＲ）情報と、デジタル符号化処理を施したＣＣ情報が出力される。以上の処理の後、ＣＣ情報はＣＣ検出解析手段２０２に入力される。
【００４３】
ＣＣ検出解析手段２０２は入力分離手段２０１から出力された信号に含まれるＣＣ情報の中から字幕の特徴となるキャラクタのみ、あるいは字幕の特徴となるキャラクタとテキスト情報以外の付加情報、あるいはテキスト情報以外の付加情報のみを検出し、それら情報の変化を解析した後に、選択手段２０３に出力する。
【００４４】
選択手段２０３はＣＣ検出解析手段２０２で解析されたキャラクタ情報、或いは付加情報の変化によって記録するか否かを判断する。
【００４５】
記録手段２０４は選択手段２０３で判断された結果から選択された映像シーンをハードディスクやＤＶＤ等のランダムアクセスが可能な記録媒体に記録する。このとき、映像シーンの切換りタイミングより数ｓｅｃ、或いは数ｍｓｅｃ早いタイミングからの記録を行うために記録手段は一時的に数ｓｅｃ、或いは数ｍｓｅｃの間の映像情報を確保しておくためのメモリ機能をもつ。具体的にはこのメモリは、一つ前のＩピクチャから現在のＩピクチャまでの映像情報を記録することができる容量を備えるＦＩＦＯ型のメモリであり、常に一つ前のＩピクチャからの映像情報が確保されるため、常に映像シーンの正確な切換りが保持されることになる。
【００４６】
また、選択手段２０３に条件入力手段を追加することも可能である。このとき、選択手段２０３には上記機能に加えて条件入力手段２０５からの条件入力と条件検索処理が付加される。条件入力手段２０５はユーザからの条件入力を行うもので、ここで入力する条件は、条件と一致した映像シーンの記録を行うための記録条件である。
【００４７】
ここで、図１０で示した情報再生装置の具体的な動作例についてフローチャートを参照して説明する。図１１は前記情報記録装置の記録処理の一例を示したフローチャートである。ステップＳ４０１において、入力分離手段２０１により、受信処理が実行され、ステップＳ４０２に進む。ステップＳ４０２において、ＣＣ検出解析手段２０２によりステップＳ４０１で分離処理された情報からＣＣ情報を検出し、キャラクタ情報、或いは付加情報が変化するタイミングを解析し、記録条件の入力を行う場合にはステップＳ４０３に、条件入力を行わない場合にはステップＳ４０６に進む。ステップＳ４０３において、条件入力手段２０５により、選択手段２０３に設定されている選択可能な記録条件の一覧をＣＲＴやＰＤＰや液晶などの表示手段に表示し、ステップＳ４０４に進む。ステップＳ４０４において、例えば、リモートコントローラやキーボードを用いてユーザが記録条件を決定した否かを判定し、決定した場合は、条件入力手段２０５により、記録条件を選択手段２０３に出力し、ステップＳ４０５に進む。決定しない場合は、記録条件は選択可能な記録条件すべてとみなし、ステップＳ４０６に進む。ステップＳ４０５において、選択手段２０３により、ステップＳ４０２からの解析結果を参照し、ステップＳ４０４からの記録条件と一致するか否かを判定し、一致した場合は、ステップＳ４０６に進む。一致しない場合には、記録処理を終了する。ステップＳ４０６において、ユーザからリモートコントローラなどを用いて記録を要求されたか否かを判定し、要求有りと判定した場合に、選択手段２０３により、ステップＳ４０２からの解析結果を参照し記録する映像シーンを決定し、ステップＳ４０７に進み、要求無しと判定した場合には、本ステップＳ４０３を繰り返し実行する。このとき、記録条件が入力されている場合は常に要求有りと判定するような設定も可能である。ステップＳ４０７において、選択手段２０３により記録手段２０４が制御され、記録手段２０４は記録媒体に映像シーンを記録する。
【００４８】
以上のように、ＣＣ情報中のキャラクタ情報、或いは付加情報が変化するタイミングを解析し、映像情報と関連付けることにより、例えばナレーションの映像シーンとセリフの映像シーンを区別することができるため、映像シーン検索を容易に行うことが可能になる。
また、選択時に選択条件を入力することにより、検索結果が絞られるため、映像シーン検索をより容易に行うことが可能となる。
【００４９】
以上でフローチャートを用いて説明した一連の処理は、ハードウェアにより実行させることも可能であるが、ソフトウェアにより実行させることも可能である。一連の処理をソフトウェアにより実行させる場合には、そのソフトウェアを構成するプログラムが、専用のハードウェアに組込まれているコンピュータ、あるいは各種のプログラムをインストールすることで、各種の機能を実行することが可能な、例えば汎用のパーソナルコンピュータなどに、プログラム記録媒体からインストールされる。コンピュータにインストールされ、コンピュータによって実行可能な状態とされるプログラムを格納するプログラム記録媒体は、磁気ディスク、光ディスク（ＣＤ−ＲＯＭ、ＤＶＤなど）、光磁気ディスク（ＭＯ、ＭＤなど）、及び半導体メモリなどによるパッケージメディア、または、プログラムが一時的若しくは永続的に格納されるフラッシュＲＯＭや、ハードディスクなどにより構成される。なお、本明細書において、プログラム記録媒体に格納されるプログラムを記述するステップは、記述された順序に沿って時系列的に行われる処理はもちろん、必ずしも時系列的に処理されなくとも、並列的、あるいは個別に実行される処理をも含むものである。
【００５０】
【発明の効果】
本発明はクローズドキャプション（ＣＣ）情報を含むテレビジョン信号を受信する際に、ＣＣ情報に含まれる、字幕の特徴となるキャラクタのみ、あるいは字幕の特徴となるキャラクタとテキスト情報以外の付加情報、あるいはテキスト情報以外の付加情報のみの変化のタイミングを解析することにより、字幕のテキストのキーワードを把握しなくとも映像シーン検索が容易に行え、映像シーンの開始タイミングから記録再生、あるいは再生のみ、あるいは記録のみを行うことが可能である。
【図面の簡単な説明】
【図１】本発明の実施の形態１に係る情報記録再生装置の構成を示すブロック図。
【図２】管理テーブル作成手段で作成される管理テーブルの一例
【図３】サムネイル作成手段で表示されるサムネイルの一例
【図４】条件入力手段で表示される条件選択画面の一例
【図５】本発明の実施の形態１に係る情報記録再生装置の記録処理の一例を示したフローチャート。
【図６】本発明の実施の形態１に係る情報記録再生装置の再生処理の一例を示したフローチャート。
【図７】本発明の実施の形態２に係る情報再生装置の構成を示すブロック図。
【図８】本発明の実施の形態２に係る情報再生装置の一時記録処理の一例を示したフローチャート。
【図９】本発明の実施の形態２に係る情報再生装置の再生処理の一例を示したフローチャート。
【図１０】本発明の実施の形態３に係る情報記録装置の構成を示すブロック図。
【図１１】本発明の実施の形態３に係る情報記録装置の処理の一例を示したフローチャート。
【符号の説明】
１，１０１，２０１…入力分離手段
２，１０２，２０２…ＣＣ検出解析手段
３，１０３…管理テーブル作成手段
４，２０４…記録手段
５，１０５…選択再生手段
６，１０６…サムネイル作成手段
７，１０７，２０５…条件入力手段
１０４…一時記録手段
２０３…選択手段
【図１】
2004253050.tif 000003
【図２】
2004253050.tif 000004
【図３】
2004253050.tif 000005
【図４】
2004253050.tif 000006
【図５】
2004253050.tif 000007
【図６】
2004253050.tif 000008
【図７】
2004253050.tif 000009
【図８】
2004253050.tif 000010
【図９】
2004253050.tif 000011
【図１０】
2004253050.tif 000012
【図１１】
2004253050.tif 000013